(57)【特許請求の範囲】
【請求項１】
第一のモードでの駆動と、前記第一のモードよりもサイクルタイムの短い第二のモードでの駆動とが可能な放射線検出器を備えた放射線撮影システムであって、
前記放射線検出器により行われる撮影の撮影部位情報を取得する取得手段と、
前記撮影部位情報に基づいて、前記放射線検出器の駆動モードを前記第一のモードから前記第二のモードに遷移させるか否かの判断を行う判断手段と、
を有することを特徴とする放射線撮影システム。
【請求項２】
前記判断手段は、前記撮影部位情報に基づいて前記放射線検出器の設置箇所を判断し、前記放射線検出器の設置箇所に基づいて前記放射線検出器の駆動モードを前記第一のモードから前記第二のモードに遷移させるか否かの判断を行うことを特徴とする請求項１に記載の放射線撮影システム。
【請求項３】
前記判断手段は、前記放射線検出器に前記第二のモードで強制的に駆動させるか否かの判断を行い、当該判断の結果、前記第二のモードで強制的に駆動させない場合に、前記撮影部位情報に基づいて前記放射線検出器の駆動モードを前記第一のモードから前記第二のモードに遷移させるか否かの判断をさらに行うことを特徴とする請求項１または２に記載の放射線撮影システム。
【請求項４】
前記取得手段は、前記放射線検出器が無線状態であるか否かの情報を更に取得し、
前記判断手段は、前記撮影部位情報および前記放射線検出器が無線状態であるか否かの情報に基づいて、前記放射線検出器の駆動モードを前記第一のモードから前記第二のモードに遷移させるか否かの判断を行うことを特徴とする請求項１乃至３のいずれか１項に記載の放射線撮影システム。
【請求項５】
前記判断手段は、前記放射線検出器により行われる撮影の開始時もしくは当該放射線撮影システムの起動時に、前記放射線検出器の駆動モードを前記第一のモードから前記第二のモードに遷移させるか否かの判断を行うことを特徴とする請求項１乃至４のいずれか１項に記載の放射線撮影システム。
【請求項６】
前記判断手段が、前記放射線検出器の駆動モードを前記第一のモードから前記第二のモードに遷移させる判断を行った場合に、当該遷移の実行を行う実行手段を更に有することを特徴とする請求項１乃至５のいずれか１項に記載の放射線撮影システム。
【請求項７】
前記放射線検出器は、前記第二のモードの状態であっても、電力が供給されなくなると前記第二のモードから前記第一のモードへ遷移することを特徴とする請求項１乃至６のいずれか１項に記載の放射線撮影システム。
【請求項８】
前記判断手段は、前記放射線検出器に前記第二のモードで強制的に駆動させるか否かの判断を行うことを特徴とする請求項１乃至７のいずれか１項に記載の放射線撮影システム。
【請求項９】
第一のモードでの駆動と、前記第一のモードよりもサイクルタイムの短い第二のモードでの駆動とが可能な放射線検出器を備えた放射線撮影システムの制御方法であって、
前記放射線検出器により行われる撮影の撮影部位情報を取得する取得ステップと、
前記撮影部位情報に基づいて、前記放射線検出器の駆動モードを前記第一のモードから前記第二のモードに遷移させるか否かの判断を行う判断ステップと、
を有することを特徴とする放射線撮影システムの制御方法。
【請求項１０】
前記取得ステップは、前記放射線検出器が無線状態であるか否かの情報を更に取得し、
前記判断ステップは、前記撮影部位情報および前記放射線検出器が無線状態であるか否かの情報に基づいて、前記放射線検出器の駆動モードを前記第一のモードから前記第二のモードに遷移させるか否かの判断を行うことを特徴とする請求項９に記載の放射線撮影システムの制御方法。
【発明の詳細な説明】
【技術分野】
【０００１】
本発明は、第一のモードでの駆動と、第一のモードよりもサイクルタイムの短い第二のモードでの駆動とが可能な放射線検出器を備えた放射線撮影システム及びその制御方法に関する。なお、本明細書では、放射線としてＸ線を例に挙げて説明を行うが、本発明においては、Ｘ線に限らず、γ線などの電磁波やα線、β線も放射線に含まれるものとする。
【背景技術】
【０００２】
従来、医療分野におけるＸ線画像撮影では、被写体にＸ線を照射し、透過したＸ線の強度を検出してデジタルデータに変換し、Ｘ線画像を得るＸ線撮影システムが用いられている（例えば、下記の特許文献１参照）。このＸ線撮影システムを用いた検査においては、Ｘ線画像撮影が繰り返し行われるため、サイクルタイム（Ｘ線曝射をしてから次のＸ線曝射までの時間）の短縮が望まれている。
【先行技術文献】
【特許文献】
【０００３】
【特許文献１】特開２００５−６８８７号公報
【発明の概要】
【発明が解決しようとする課題】
【０００４】
Ｘ線検出器には、サイクルタイム（撮影間隔）が短縮されて駆動する高速駆動モードと通常のサイクルタイムで駆動する通常駆動モードとで駆動するものがある。このようなＸ線検出器では、通常駆動モードから高速駆動モードへ駆動モードを遷移させる操作が必要である。また、一度、通常駆動モードから高速駆動モードとなっても、例えば電力が供給されなくなると、Ｘ線検出器は、通常駆動モードへ遷移する。このため、頻繁に電力が供給されなくなるＸ線検出器は、高速駆動モードにしても、通常駆動モードへ戻ってしまう。例えば、無線型のＸ線検出器では、バッテリー交換時に電力供給されなくなる。そのため、高速駆動モードに遷移させず、通常駆動モードで使用することが想定される。逆に、Ｘ線検出器が臥位テーブルや立位スタンドに設置されている場合には、持ち運びを行わないことが想定されるため、常時、通電状態で使用される可能性が高い。
【０００５】
以上により、Ｘ線撮影システムにおいて、接続されているＸ線検出器すべてに対し、常に高速駆動モードに遷移させることは望ましくない。Ｘ線撮影システムでは、検査の開始時（Ｘ線撮影の開始時）もしくは当該Ｘ線撮影システムの起動時に、Ｘ線検出器の常時通電での使用可能性を考慮し、高速駆動させる又は高速駆動させない判断を実施することが望ましい。
【０００６】
本発明は、このような問題点に鑑みてなされたものであり、放射線検出器の常時通電での使用可能性を考慮しつつ、高速駆動させる又は高速駆動させない判断を実施できるようにすることを目的とする。
【課題を解決するための手段】
【０００７】
本発明の放射線撮影システムは、第一のモードでの駆動と、前記第一のモードよりもサイクルタイムの短い第二のモードでの駆動とが可能な放射線検出器を備えた放射線撮影システムであって、前記放射線検出器により行われる撮影の撮影部位情報を取得する取得手段と、前記撮影部位情報に基づいて、前記放射線検出器の駆動モードを前記第一のモードから前記第二のモードに遷移させるか否かの判断を行う判断手段と、を有する。
また、本発明は、上述した放射線撮影システムの制御方法を含む。
【発明の効果】
【０００８】
本発明によれば、放射線検出器の常時通電での使用可能性を考慮しつつ、高速駆動させる又は高速駆動させない判断を実施することができる。例えば、第二のモードである高速駆動モードで使用する可能性が高い放射線検出器に対してのみ、高速駆動モードへの遷移実施の必要性を判断し、高速駆動モードで使用する可能性が低い放射線検出器に対しては当該判断する手間を省くことができる。
【図面の簡単な説明】
【０００９】
【図１】本発明の第１の実施形態に係るＸ線撮影システム（放射線撮影システム）の概略構成の一例を示す模式図である。
【図２】本発明の第１の実施形態を示し、図１に示すＸ線検出器の駆動モード遷移を示す模式図である。
【図３】本発明の第１の実施形態に係るＸ線撮影システム（放射線撮影システム）の制御方法の処理手順の一例を示すフローチャートである。
【図４】本発明の第１の実施形態に係るＸ線撮影システム（放射線撮影システム）の外観構成の一例を示す模式図である。
【図５】本発明の第１の実施形態に係るＸ線撮影システム（放射線撮影システム）の外観構成の一例を示す模式図である。
【図６】本発明の第２の実施形態に係るＸ線撮影システム（放射線撮影システム）の制御方法の処理手順の一例を示すフローチャートである。
【発明を実施するための形態】
【００１０】
以下に、図面を参照しながら、本発明を実施するための形態（実施形態）について説明する。
【００１１】
（第１の実施形態）
図１は、本発明の第１の実施形態に係るＸ線撮影システム（放射線撮影システム）の概略構成の一例を示す模式図である。
【００１２】
図１に示すＸ線撮影システム１００は、Ｘ線発生装置（放射線発生装置）１１０と、Ｘ線検出器（放射線検出器）１２０−１〜１２０−３と、制御装置１３０を有して構成されている。また、制御装置１３０は、システム起動部１３１と、Ｘ線検出器制御部（放射線検出器制御部）１３２と、駆動モード遷移判断部１３３と、駆動モード遷移判断情報部１３４を有して構成されている。
【００１３】
Ｘ線発生装置１１０は、人体Ｊに対してＸ線を発生させ、人体ＪにＸ線を照射する。
【００１４】
Ｘ線検出器１２０は、Ｘ線発生装置１１０から発生し、人体Ｊを透過したＸ線の強度に応じて、電荷を発生する素子を平面に配置したものであり、複数台接続可能である。図１に示すＸ線撮影システム１００の例では、Ｘ線検出器Ａ〜Ｃ（１２０−１〜１２０−３）の合計３台接続された例が示されている。
【００１５】
制御装置１３０は、Ｘ線撮影システム１００における動作を統括的に制御する。
【００１６】
システム起動部１３１は、Ｘ線撮影システム１００を起動する。
【００１７】
Ｘ線検出器制御部１３２は、複数台接続されたＸ線検出器１２０を制御する。Ｘ線検出器制御部１３２は、Ｘ線検出器１２０によるＸ線撮影の開始や終了に関する制御、Ｘ線検出器１２０との接続状態の検知、通常駆動モードから高速駆動モードへ遷移を実行する駆動モード遷移の実行などを行う。
【００１８】
駆動モード遷移判断部１３３は、駆動モードの遷移が必要かどうかを判断する。Ｘ線検出器制御部１３２は、駆動モードの遷移の実行の際、駆動モード遷移判断部１３３の結果に基づいてＸ線検出器１２０の駆動モードを実行する制御を行う。
【００１９】
駆動モード遷移判断情報部１３４は、駆動モード遷移判断部１３３が駆動モード遷移判断を行う際に必要な情報を記憶する。駆動モード遷移判断情報部１３４には、Ｘ線検出器制御部１３２によって駆動モード遷移が必要であるか否かの判断情報が格納される。
【００２０】
図２は、本発明の第１の実施形態を示し、図１に示すＸ線検出器１２０の駆動モード遷移を示す模式図である。
【００２１】
図２において、Ｘ線検出器内駆動モード２００は、Ｘ線検出器１２０での駆動モードが２つ存在することを表している。通常駆動モード２０１は、撮影間隔が通常の速度である駆動モードを表している。Ｘ線検出器１２０を通常起動した時は、この通常駆動モード２０１の状態となる。高速駆動モード２０２は、撮影間隔が短縮される駆動モード、即ち、通常駆動モードよりも高速に駆動する駆動モードを表している。
【００２２】
遷移２０３は、Ｘ線検出器１２０が通常駆動モードから高速駆動モードへ駆動モードの遷移を表している。遷移２０３は、Ｘ線検出器制御部１３２が駆動モード遷移を実行した場合に発生する。
【００２３】
遷移２０４は、Ｘ線検出器１２０が高速駆動モードから通常駆動モードへ駆動モードの遷移を表している。遷移２０４は、電源（電力）の供給がされなくなる場合に発生する。例えば、Ｘ線検出器１２０が電源と接続が切れる、もしくは、無線のＸ線検出器１２０においてバッテリーを交換するなど、が挙げられる。
【００２４】
図３は、本発明の第１の実施形態に係るＸ線撮影システム（放射線撮影システム）の制御方法の処理手順の一例を示すフローチャートである。
【００２５】
ここで、第１の実施形態では、Ｘ線撮影開始時（放射線撮影開始時）に、対象のＸ線検出器１２０の１台に対して駆動モードの遷移を実行するか否かの判断を行う例である。この第１の実施形態において、駆動モードの遷移を実行するまでの処理の流れを、図１、図２、図３を用いて説明する。
【００２６】
まず、Ｘ線撮影システム１００において、撮影開始となった時、Ｘ線検出器制御部１３２は、撮影を開始しようとしているＸ線検出器１２０の現在の状態から、駆動モード遷移判断に必要な情報（撮影部位情報も含む）を取得する。そして、Ｘ線検出器制御部１３２は、取得した情報を駆動モード遷移判断情報部１３４へ格納（記憶）する。具体的に、駆動モード遷移判断に必要な情報としては、撮影部位情報、Ｘ線検出器１２０が臥位テーブルもしくは立位スタンドのカセッテに格納されているか否かの情報（Ｘ線検出器１２０の設置箇所の情報）や、Ｘ線検出器１２０が無線状態であるか否かの情報を取得する。駆動モード遷移判断部１３３は、駆動モード遷移判断情報部１３４に格納されている情報を用いて、駆動モード遷移を実行するか否かの判断を行う。
【００２７】
撮影を開始しようとしている１つのＸ線検出器１２０に対する判断に関して、図３のフローチャートを用いて説明する。
【００２８】
まず、ステップＳ３０１において、例えばＸ線検出器制御部１３２は、当該Ｘ線検出器１２０が高速駆動可能か否かの判断を行う。この判断の結果、当該Ｘ線検出器１２０が高速駆動不可である場合には、図３に示すＸ線検出器高速駆動判断処理のフローチャートを終了する。
【００２９】
一方、ステップＳ３０１の判断の結果、当該Ｘ線検出器１２０が高速駆動可能である場合には、ステップＳ３０２に進む。
ステップＳ３０２に進むと、例えばＸ線検出器制御部１３２は、当該Ｘ線検出器１２０を強制的に高速駆動するか否かの判断を行う。ここで、強制的に高速駆動を行うか否かの情報は、予め、Ｘ線検出器１２０毎に、駆動モード遷移判断情報部１３４に格納されており、その情報に基づいて判断する。
【００３０】
ステップＳ３０２の判断の結果、当該Ｘ線検出器１２０を強制的に高速駆動する場合には、ステップＳ３０４に進む。
【００３１】
一方、ステップＳ３０２の判断の結果、当該Ｘ線検出器１２０を強制的に高速駆動しない場合には、ステップＳ３０３に進む。
ステップＳ３０３に進むと、例えばＸ線検出器制御部１３２は、これから撮影しようとしている撮影部位情報に基づいて、当該Ｘ線検出器１２０が臥位テーブルまたは立位スタンドに設置されているのかを判断する。
【００３２】
例えば、胸部撮影の場合には、当該Ｘ線検出器１２０が立位スタンドに設置されていると考えられ、腹部撮影の場合には、当該Ｘ線検出器１２０が臥位テーブルに設置されていると考えられる。また、当該Ｘ線検出器１２０が臥位テーブルもしくは立位スタンドのどちらのカセッテに設置されているのか検知できる場合には、その検知情報を用いて、当該Ｘ線検出器１２０の設置状態を取得して判断してもよい。なお、当該Ｘ線検出器１２０が臥位テーブルもしくは立位スタンドに設置されていれば、常時通電で使用される可能性が高いため、高速駆動モードへの遷移が必要であると判断されることになる。
【００３３】
逆に、当該Ｘ線検出器１２０が臥位テーブルおよび立位スタンドに設置されていなければ、当該Ｘ線検出器１２０を持ち運ぶ可能性が高く、このＸ線検出器１２０を持ち運ぶ際には、Ｘ線検出器１２０への電源供給（電力供給）が停止する可能性が高い。この場合、高速駆動モードへの遷移が不要であると判断されることになる。
【００３４】
また、ステップＳ３０３で行う判断について、上述したＸ線検出器１２０が臥位テーブルまたは立位スタンドに設置されているのかの判断に換えて或いは加えて、Ｘ線検出器１２０の接続状態が無線状態ではないか否かの判断を適用することもできる。
【００３５】
有線／無線のどちらの接続状態であるかは、例えばＸ線検出器制御部１３２がＸ線検出器１２０との接続状態を検知した時に、その検知情報が駆動モード遷移判断情報部１３４に格納されており、その情報に基づいて判断を行う。Ｘ線検出器１２０の接続状態が有線状態であれば、常時通電で使用される可能性が高いため、高速駆動モードへの遷移が必要であると判断されることになる。逆に、Ｘ線検出器１２０の接続状態が無線状態であれば、Ｘ線検出器１２０を持ち運ぶ可能性が高く、Ｘ線検出器１２０を持ち運ぶ際にはＸ線検出器１２０への電源供給（電力供給）が停止する可能性が高い。このため、高速駆動モードへの遷移が不要であると判断されることになる。
【００３６】
また、ステップＳ３０３で行う判断について、上述したＸ線検出器１２０が臥位テーブルまたは立位スタンドに設置されているのかの判断と、Ｘ線検出器１２０の接続状態が無線状態ではないか否かの判断とのどちらか１つのみを判断する場合も考えられる。例えば、無線機能を持たないＸ線検出器１２０の場合には、Ｘ線検出器１２０の接続状態が無線状態ではないか否かの判断は行わず、Ｘ線検出器１２０が臥位テーブルまたは立位スタンドに設置されているのかの判断の結果のみで判断を行う。また、両方とも判断する場合も考えられる。両方とも判断する場合には、優先度をつけて判定を行う。例えば、Ｘ線検出器１２０の接続状態が無線状態であれば、臥位テーブルに設置されていたとしても持ち運びされうる、もしくはバッテリー交換時に電源供給（電力供給）が停止する可能性が高いため、高速駆動モードへの遷移が不要であると判断されることになる。
【００３７】
ステップＳ３０３の判断の結果、当該Ｘ線検出器１２０が臥位テーブルまたは立位スタンドに設置されていない場合（或いは、当該Ｘ線検出器１２０の接続状態が無線状態である場合）には、図３に示すＸ線検出器高速駆動判断処理のフローチャートを終了する。
【００３８】
一方、ステップＳ３０３の判断の結果、当該Ｘ線検出器１２０が臥位テーブルまたは立位スタンドに設置されている場合（或いは、当該Ｘ線検出器１２０の接続状態が無線状態でない場合）には、ステップＳ３０４に進む。
ステップＳ３０４に進むと、例えば駆動モード遷移判断部１３３は、通常駆動モード２０１から高速駆動モード２０２への遷移２０３が必要と判断する。
以上の判断後、図３に示すＸ線検出器高速駆動判断処理のフローチャートを終了する。その後、例えばＸ線検出器制御部１３２は、高速駆動モードへの遷移が必要であると判断したＸ線検出器１２０に対し、高速駆動モード２０２への遷移２０３を実行する。
【００３９】
次に、Ｘ線検出器１２０が臥位テーブルまたは立位スタンドに設置されている場合について説明をする。臥位や立位のＸ線撮影において、Ｘ線検出器１２０を設置して使用する場合、持ち運びをしないことが想定される。そのため、Ｘ線検出器１２０は、常時通電での使用の可能性が高い。したがって、臥位や立位のＸ線撮影の場合には、Ｘ線撮影システム１００の起動時には、Ｘ線検出器１２０を高速駆動モードへ遷移させると判断する。図４及び図５を用いて、臥位の場合のＸ線撮影の様子、立位の場合のＸ線撮影の様子を示す。
【００４０】
図４は、本発明の第１の実施形態に係るＸ線撮影システム（放射線撮影システム）の外観構成の一例を示す模式図である。具体的に、図４は、臥位のＸ線撮影の様子を示した模式図である。
【００４１】
図４に示すＸ線撮影システム１００−１では、臥位テーブル４０１に臥位状態の人体Ｊに対して、Ｘ線発生装置１１０からＸ線１１１を照射し、人体Ｊを透過したＸ線をＸ線検出器１２０で画像データとして検出する。そして、Ｘ線検出器１２０は、電気的に接続された制御装置１３０により制御される。
この図４のように、臥位のＸ線撮影では、Ｘ線検出器１２０が床面に対して平行に設置される。
【００４２】
図５は、本発明の第１の実施形態に係るＸ線撮影システム（放射線撮影システム）の外観構成の一例を示す模式図である。具体的に、図５は、立位のＸ線撮影の様子を示した模式図である。
【００４３】
図５に示すＸ線撮影システム１００−２では、立位スタンド５０１に対して立位状態の人体Ｊに対して、Ｘ線発生装置１１０からＸ線１１１を照射し、人体Ｊを透過したＸ線をＸ線検出器１２０で画像データとして検出する。そして、Ｘ線検出器１２０は、電気的に接続された制御装置１３０により制御される。
この図５のように、立位のＸ線撮影では、Ｘ線検出器１２０が床面に対して垂直に設置される。
【００４４】
（第２の実施形態）
以下、本発明の第２の実施形態を説明する。
第２の実施形態に係るＸ線撮影システムの概略構成は、図１に示す第１の実施形態に係るＸ線撮影システムの概略構成と同様であるため、その説明は省略する。また、第２の実施形態におけるＸ線検出器１２０の駆動モードの遷移に関しても、図２に示す第１の実施形態におけるＸ線検出器１２０の駆動モードの遷移と同様であるため、その説明は省略する。
【００４５】
図６は、本発明の第２の実施形態に係るＸ線撮影システム（放射線撮影システム）の制御方法の処理手順の一例を示すフローチャートである。
【００４６】
第２の実施形態は、Ｘ線撮影システム１００の起動時、もしくは検査開始時（Ｘ線撮影開始時）に、接続されている複数のＸ線検出器１２０に対して駆動モードの遷移を実行するか否かの判断を行う形態である。第２の実施形態において、駆動モードの遷移を実行するまでの処理の流れを、図１、図２、図６を用いて説明する。
【００４７】
まず、Ｘ線撮影システム１００において、システム起動部１３１によりＸ線撮影システム１００が起動される。そして、Ｘ線検出器制御部１３２を介して、接続されているＸ線検出器１２０を検知する。図１に示すＸ線撮影システム１００の例では、Ｘ線検出器Ａ〜Ｃ（１２０−１〜１２０−３）の合計３台接続された例が示されている。
【００４８】
例えば、Ｘ線検出器制御部１３２は、接続されているＸ線検出器１２０−１〜１２０−３の現在の状態から、駆動モード遷移判断に必要な情報（撮影部位情報も含む）を取得する。そして、Ｘ線検出器制御部１３２は、取得した情報を駆動モード遷移判断情報部１３４へ格納（記憶）する。具体的に、駆動モード遷移判断に必要な情報としては、撮影部位情報、Ｘ線検出器１２０が臥位テーブルもしくは立位スタンドのカセッテに格納されているか否かの情報（Ｘ線検出器１２０の設置箇所の情報）や、Ｘ線検出器１２０が無線状態であるか否かの情報を取得する。駆動モード遷移判断部１３３は、駆動モード遷移判断情報部１３４に格納されている情報を用いて、駆動モード遷移を実行するか否かの判断を行う。
【００４９】
Ｘ線撮影システム１００の起動時、もしくは検査開始時（Ｘ線撮影開始時）に、接続されている複数のＸ線検出器１２０に対する判断に関して、図６のフローチャートを用いて説明する。ここで、高速駆動判断は、複数のＸ線検出器１２０が接続されている場合、１つずつのＸ線検出器１２０に対して判断を行う。
【００５０】
まず、ステップＳ６０１において、例えばＸ線検出器制御部１３２は、接続されている複数のＸ線検出器１２０の中から選ばれた１つのＸ線検出器１２０に対して高速駆動判断を開始する。
【００５１】
続いて、ステップＳ６０２において、制御装置１３０は、図３のフローチャートに示された、当該Ｘ線検出器１２０の高速駆動判断を行う。この高速駆動判断は、図３に示す第１の実施形態と同様に行われるため、ここでは説明を省略する。
【００５２】
ステップＳ６０１で選択された１つのＸ線検出器１２０に対して高速駆動判断の終了後、ステップＳ６０３において、制御装置１３０は、すべてのＸ線検出器１２０に対して高速駆動判断を行ったか否かを判断する。この判断の結果、未だ高速駆動判断を行っていない他のＸ線検出器１２０がある場合には、ステップＳ６０１に戻り、当該他のＸ線検出器１２０に対してステップＳ６０１以降の処理を行う。
【００５３】
一方、すべてのＸ線検出器１２０に対して高速駆動判断を行った場合には、図６に示す複数のＸ線検出器高速駆動判断処理のフローチャートを終了する。
その後、例えばＸ線検出器制御部１３２は、高速駆動モードへの遷移が必要であると判断したＸ線検出器１２０に対し、高速駆動モード２０２への遷移２０３を実行する。
【００５４】
（その他の実施形態）
また、本発明は、以下の処理を実行することによっても実現される。
即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
このプログラム及び当該プログラムを記憶したコンピュータ読み取り可能な記録媒体は、本発明に含まれる。
【００５５】
なお、前述した本発明の実施形態は、何れも本発明を実施するにあたっての具体化の例を示したものに過ぎず、これらによって本発明の技術的範囲が限定的に解釈されてはならないものである。即ち、本発明はその技術思想、又はその主要な特徴から逸脱することなく、様々な形で実施することができる。
【符号の説明】
【００５６】
１００  Ｘ線撮影システム（放射線撮影システム）、１１０  Ｘ線発生装置（放射線発生装置）、１２０−１〜１２０−３  Ｘ線検出器（放射線検出器）、１３０  制御装置、１３１  システム起動部、１３２  Ｘ線検出器制御部（放射線検出器制御部）、１３３  駆動モード遷移判断部、１３４  駆動モード遷移判断情報部
【図１】
0005814659.tif 000002
【図２】
0005814659.tif 000003
【図３】
0005814659.tif 000004
【図４】
0005814659.tif 000005
【図５】
0005814659.tif 000006
【図６】
0005814659.tif 000007